(57)【要約】【課題】マイナスイオンによるトリートメント効果を向上できるヘアードライヤーを提供する。【解決手段】温風を送風して毛髪に温風を吐出する温風流路３と、冷風を送風して毛髪に冷風を吐出する冷風流路２とを有すると共に温風と冷風とを同時に送風するモードを有する。前記流路を通って吐出される送風と同じ方向にマイナスイオンを放出するイオン発生部９を備える。【選択図】        図１
2004208935.tif 000002
【特許請求の範囲】
【請求項１】
温風を送風して毛髪に温風を吐出する温風流路と、冷風を送風して毛髪に冷風を吐出する冷風流路とを有すると共に温風と冷風とを同時に送風するモードを有し、前記流路を通って吐出される送風と同じ方向にマイナスイオンを放出するイオン発生部を備えたことを特徴とするヘアードライヤー。
【請求項２】
温風を送風して毛髪に温風を吐出する温風流路と、冷風を送風して毛髪に冷風を吐出する冷風流路とを有し、前記流路を通って吐出される送風と同じ方向にマイナスイオンを放出するイオン発生部を備え、少なくとも冷風の送風とイオン発生部からのマイナスイオンの放出が同時に行われるように構成したことを特徴とするヘアードライヤー。
【請求項３】
温風流路と冷風流路のうち一方の流路の周辺に他方の流路が配置され、層状をなした温風の流れと冷風の流れが接するように送風されるようにしたことを特徴とする請求項１または請求項２記載のヘアードライヤー。
【請求項４】
温風流路や冷風流路の流路内の送風に向けてイオン発生部からマイナスイオンを放出するようにしたことを特徴する請求項１乃至請求項３のいずれかに記載のヘアードライヤー。
【請求項５】
一方の流路に対して周辺に配置する他方の流路を冷風流路としたことを特徴とする請求項３または請求項４記載のヘアードライヤー。
【請求項６】
イオン発生部から冷風流路の冷風にマイナスイオンを放出するようにしたことを特徴とする請求項５記載のヘアードライヤー。
【請求項７】
冷風流路内にイオン発生部を配置してイオン発生部から冷風にマイナスイオンを放出するようにしたことを特徴とする請求項５または請求項６記載のヘアードライヤー。
【請求項８】
一方の流路に対して周辺に配置する他方の流路を冷風流路とし、前記流路外に配置したイオン発生部から冷風にマイナスイオンを放出するようにしたことを特徴とする請求項５記載のヘアードライヤー。
【請求項９】
送風する流路外にイオン発生部を設置し、送風する流路から分岐した経路をイオン発生部に接続したことを特徴とする請求項５または請求項８記載のヘアードライヤー。
【請求項１０】
温風流路内にイオン発生部を配置してイオン発生部から温風にマイナスイオンを放出するようにしたことを特徴とする請求項５記載のヘアードライヤー。
【請求項１１】
イオン発生部を複数個設けたことを特徴とする請求項１乃至請求項１０記載のヘアードライヤー
【発明の詳細な説明】
【０００１】
【発明の属する技術分野】
本発明は、風を毛髪に当てて毛髪の乾燥やセットを行うと共に、マイナスイオンを毛髪に当てて毛髪のトリートメントを行うヘアードライヤーの構造に関するものである。
【０００２】
【従来の技術】
従来、この種のヘアードライヤーは図１６に示すようにハウジングａ内の空気流路ｂの上流側端部に空気吸い込み口ｃを設けると共に空気流路ｂの下流側端部に空気吹き出し口ｄを設け、空気流路ｂにファンｅ、モータｆ、ヒータｇを配置すると共にマイナスイオンを発生させるイオン発生部ｈを設けてある（例えば、特許文献１参照）。そしてモータｆにてファンｅを駆動することにより送風し、ヒータｇに通電することで熱風を送風することができるようになっており、熱風のような風を毛髪に当てて髪を乾燥するようになっており、またイオン発生部ｈでマイナスイオンを発生して毛髪にマイナスイオンを当てて毛髪のトリートメントを行うようになっている。
【０００３】
【特許文献１】
実用新案登録第３０８６６８０号公報
【０００４】
【発明が解決しようとする課題】
ところで、マイナスイオンとは、空気中の空気分子にマイナス電子が付着した状態で、さらに水分子を数個取り込んだものである。これが、毛髪に付着するとマイナスイオンの粒子径が非常に小さいため、水分子を含むマイナスイオンが毛髪内部まで浸透し易い。これによって、毛髪がしっとり、さらさらになるという効果が生まれるのである。
【０００５】
しかしながら、上記のような従来例のヘアードライヤーの場合、毛髪を乾燥させるときには熱風を毛髪に当てて乾燥しているため、乾燥時に髪がばさついたり、まとなりがない状態になってしまう。この状態の髪は、光が当った時に、光が乱反射するために艶があるように見えない。このような髪にマイナスイオンを当てても、結果として髪の艶がでにくいため、しっとり、さらさらする効果も実感しにくくなってしまう。さらに上記従来例のヘアードライヤーでは温風の送風と共にマイナスイオンを発生しているため、マイナスイオンに含まれている水分子が加熱された状態になっている。この加熱されたイオン分子に含まれる水分子は温度が高く、高いエネルギーを持っているため、毛髪に付着しても、再び、空気中に蒸散しやすい状態になる。そのためマイナスイオンを毛髪に当てても、結果としてしっとりになる効果が減ってしまう。
【０００６】
本発明は上記の点に鑑みてなされたものであり、マイナスイオンによるトリートメント効果を向上できるヘアードライヤーを提供することを課題とするものである。
【０００７】
【課題を解決するための手段】
上記課題を解決するため本発明のヘアードライヤーは、温風を送風して毛髪に温風を吐出する温風流路と、冷風を送風して毛髪に冷風を吐出する冷風流路とを有すると共に温風と冷風とを同時に送風するモードを有し、前記流路を通って吐出される送風と同じ方向にマイナスイオンを放出するイオン発生部を備えたことを特徴とする。
【０００８】
また温風を送風して毛髪に温風を吐出する温風流路と、冷風を送風して毛髪に冷風を吐出する冷風流路とを有し、前記流路を通って吐出される送風と同じ方向にマイナスイオンを放出するイオン発生部を備え、少なくとも冷風の送風とイオン発生部からのマイナスイオンの放出が同時に行われるように構成したことを特徴とすることも好ましい。
【０００９】
また温風流路と冷風流路のうち一方の流路の周辺に他方の流路が配置され、層状をなした温風の流れと冷風の流れが接するように送風されるようにしたことを特徴とすることも好ましい。
【００１０】
また温風流路や冷風流路の流路内の送風に向けてイオン発生部からマイナスイオンを放出するようにしたことを特徴することも好ましい。
【００１１】
また一方の流路に対して周辺に配置する他方の流路を冷風流路としたことを特徴とすることも好ましい。
【００１２】
またイオン発生部から冷風流路の冷風にマイナスイオンを放出するようにしたことを特徴とすることも好ましい。
【００１３】
また冷風流路内にイオン発生部を配置してイオン発生部から冷風にマイナスイオンを放出するようにしたことを特徴とすることも好ましい。
【００１４】
また送風する流路外にイオン発生部を設置し、送風する流路から分岐した経路をイオン発生部に接続したことを特徴とすることも好ましい。
【００１５】
また一方の流路に対して周辺に配置する他方の流路を冷風流路とし、前記流路外に配置したイオン発生部から冷風にマイナスイオンを放出するようにしたことを特徴とすることも好ましい。
【００１６】
また温風流路内にイオン発生部を配置してイオン発生部から温風にマイナスイオンを放出するようにしたことを特徴とすることも好ましい。
【００１７】
またイオン発生部を複数個設けたことを特徴とすることも好ましい。
【００１８】
【発明の実施の形態】
先ず、図１に示す例から述べる。ヘアードライヤーはハウジング１によって本体部が形成されており、ハウジング１内には内部に温風を流すことができる温風流路３と冷風を流すことができる冷風流路２とで構成される空気流路が設けられており、空気流路の下流側の端部には空気を吐出する空気吹き出し口４が形成されており、空気流路の上流側には空気を吸入する空気取り入れ口５が形成されている。
【００１９】
図１の例では空気流路は二重円筒状に構成してあり、内側の空気流路は温風の流れる温風流路３となっており、外側の空気流路は冷風が流れる冷風流路２となっている。温風流路３や冷風流路２の上流には送風するファン６及びファン６を駆動するモータ７を配置してあり、温風流路３にはヒータ８を配設してある。そしてヒータ８に通電してファン６を駆動すると、温風流路３で温風を発生して送ることができ、また室温の冷風を冷風流路２にて送るようになっている。
【００２０】
ハウジング１の下壁部にはハンドル部１１が下方に向けて突出するように一体に設けてあり、ハンドル部１１にはモータ７やヒータ８の電源スイッチ１２を設けてある。そして電源スイッチ１２を操作することでヒータ８をオンオフしたり、モータ７をオンオフしたりする切り替えが行うことができるようになっている。電源スイッチ１２を切り替えた時、少なくともモータ７とヒータ８とに同時に通電して温風と冷風とを同時に吐出させるモードを有している。
【００２１】
またハウジング１内にはイオン発生部９と高電圧発生部１０とを設けてあり、イオン発生部９にてマイナスイオンを発生することができるようになっている。本例の場合、冷風流路２内にイオン発生部９を配置してあり、ハウジング１とハンドル部１１との間に高電圧発生部１０を配置してあり、イオン発生部９で発生したマイナスイオンを冷風流路２の冷風の流れに放出できるようになっている。イオン発生部９でマイナスイオンを発生してマイナスイオンを放出するのは冷風通路２に冷風が流れているときと同時が望ましい。
【００２２】
イオン発生部９はコロナ放電によりマイナスイオンを発生するようになっており、図２、図３のように針電極１３とグランド電極１４とで構成されており、高電圧発生部１０から針電極１３に高電圧を印加することで放電によりマイナスイオンを発生するようになっており、針電極１３からグランド電極１４への延長線上に位置するイオン吹き出し口１５からマイナスイオンを放出するようになっている。
【００２３】
針電極１３は、一例として金属棒の先端を鋭利にし、針形状にしたもので構成する。グランド電極１４は、一例として金属板で構成し、針電極１３に対して斜め前方に配置する。高電圧発生部１０は一例としてマイナスイオンを発生させる場合、ＤＣ−５ｋＶを発生し、基準電位側をグランド電極１４に、高電圧側を針電極１３に各々接続する。逆に、プラスイオンを発生させる場合、ＤＣ＋５ｋＶを発生し、基準電位側をグランド電極１４に、高電圧側を針電極１３に接続する。
【００２４】
ヘアードライヤーを使用するには、ハンドル部１１に設けてある電源スイッチ１２を入れ、モータ７を駆動してファン６を回転させることで空気取り入れ口５より、ハウジング１外の空気をハウジング１内に取り入れて空気流路の下流側へと送り、送られてきた空気が二重筒状の空気流路へと流れる。二重の空気流路のうち温風が流れる温風流路３では送られてきた空気をヒータ８で加熱して、空気吹き出し口４より温風を吹き出す。また、二重筒状の空気流路のうち、冷風が流れる冷風流路２では送られてきた空気が流路を通り、室温の空気を冷風として空気吹き出し口４より吹き出す。このとき内側の温風と外側の冷風が層状となって温風と冷風とが同時に毛髪にあたる。このときヘアードライヤーを移動させることにより毛髪には温風と冷風とが順に当るようになる。
【００２５】
ここでヘアードライヤーの温風は髪を乾燥させるだけでなく、熱によって髪のＳ−Ｓ結合を切ることができるため、くせ毛を伸ばすことができる。そこに冷風を当てると、再びＳ−Ｓ結合が行われるため、くせ毛を伸ばして固定することができる。このため、温風と冷風とを同時に吐出して温風と冷風とを順に毛髪に当てると、くせ毛を伸ばして固定することができてセット性が向上する。このセット性が向上した毛髪にマイナスイオンを与えると、髪の艶、しっとり、さらさらする効果が実感しやすくなる。
【００２６】
またイオン発生部９で発生したマイナスイオンは、上記空気流路を通り、イオン吹き出し口１５より出てくるが、本例のように冷風流路４に内にイオン発生部９を設けた場合、冷風と混合したマイナスイオンは、温風流路３から吐出する温風によって、一部は加熱されるが残りの大半については冷風のまま発生させることができる。
【００２７】
マイナスイオンとは、空気中の空気分子にマイナス電子が付着した状態で、さらに水分子を数個取り込んだものである。これが、毛髪に付着するとマイナスイオンの粒子径が非常に小さいため、水分子を含むマイナスイオンが毛髪の内部まで浸透しやすい。これによって毛髪がしっとり、さらさらになるという効果が生まれるのである。ここで発生させている冷風のマイナスイオンの場合、マイナスイオンに含まれている水分子温度の低い状態となっている。この温度の低いイオン分子に含まれる水分子の温度が低く、低いエネルギーしか持っていないため、毛髪に付着した後、再び空気中に蒸発するためには多くのエネルギーを必要とするため、マイナスイオンを毛髪に当てた場合、蒸発することなく髪に残った状態になり、結果としてしっとりになる効果が増大するのである。
【００２８】
次に図４に示す例について述べる。本例も図１の例と基本的に同じであり、異なる点だけを主に述べる。本例の場合も、ハウジング１内には二重筒状に空気流路を設けてあるが、本例の場合、内側の流路が冷風の流れる冷風流路２となり、外側の流路が温風の流れる温風流路３となっている。外側の温風流路３にヒータ８を配置してあり、内側の冷風流路２にイオン発生部９を配置してある。図４の例のヘアードライヤーは図１に示すヘアードライヤーと温風や冷風の吐出が逆だけで図１のヘアードライヤーと同様に使用できる。
【００２９】
次に図５に示す例について例について述べる。本例も図１の例と基本的に同じであり、異なる点だけを主に述べる。ハウジング１内の温風が流れる温風流路３の上流側にはファン６及びファン６を駆動するモータ７を配設してあり、ファン６の下流側で温風流路３にはヒータ８を配置してある。またハウジング１内には温風流路３と仕切った冷風流路２を設けてあり、冷風流路２の上流側の空気取り入れ口５がハウジング１の外に開口しており、温風流路３の負圧にてハウジング１外から外気を冷風流路２に吸い込んで冷風として送るようにようになっており、この冷風流路２にイオン発生部９を配置してある。
【００３０】
ヘアードライヤーを使用するには、ハンドル部１１に設けてある電源スイッチ１２を入れ、モータ７を駆動してファン６を回転させることで空気取り入れ口５よりハウジング１外の空気をハウジング１内に取り入れて空気流路の下流側へと送り、送られてきた空気を温風が流れる温風通路３へと導く。温風が流れる温風流路３では、送られてきた空気を通電されたヒータ８で加熱して、空気吹き出し口４より温風を吹き出す。また温風流路３に風が流れることにより、冷風流路２の下流側の吹き出し口に負圧が生じ、冷風流路２の上流側の空気取り入れ口より外気を吸い込む。これにより冷風が流れる冷風流路２には外気が通り、空気吹き出し口４から冷風を吹き出す。これにより、図１の例と同様に温風と冷風が吐出されて髪のセットがされると共にマイナスイオンが当てられて髪の手入れがされる。
【００３１】
次に図６に示す例について述べる。本例も上記例と基本的に同じであり、異なる点だけを主に述べる。本例のヘアードライヤーはブラシ付きヘアードライヤーである。ハウジング１内には冷風が流れる冷風流路２と温風が流れる温風流路３とを図６に示すように分離して構成してあり、温風流路３と冷風流路２の上流にはファン６及びファン６を駆動するモータ７を配設してあり、温風流路３にはヒータ８を配設してある。冷風流路２にはイオン発生部９を配置してある。ハウジング１の外の側面にはモータ７やヒータ８の電源スイッチ１２を配置してある。
【００３２】
このブラシ付きヘアードライヤーを使用するには、電源スイッチ１２を入れ、モータ７を駆動してファン６を回転させることで空気取り入れ口５よりハウジング１外の空気をハウジング１内へ取り入れて空気流路の下流側へと送り、送られてきた空気を温風が流れる温風流路３へと導く。温風が流れる温風流路３では、送られてきた空気を通電されたヒータ８で加熱して、空気吹き出し口４より温風を吹き出す。冷風が流れる冷風流路２では送られてきた空気が流路を通り、室温の空気を冷風として空気吹き出し口４より吹き出す。これにより、図１の例と同様に温風と冷風が吐出されて髪のセットがされると共にマイナスイオンが当てられて髪の手入れがされる。
【００３３】
次に図７に示す例について述べる。本例も上記例と基本的に同じであり、異なる点だけを主に述べる。本例の場合も、ブラシ付きヘアードライヤーである。ハウジング１内の温風が流れる温風流路３の上流にはファン６及びファン６を駆動するモータ７を配設してあり、温風流路３にはヒータ８を配設してある。またハウジング１内の冷風が流れる冷風流路２の上流にはファン６′及びファン６′を駆動するモータ７′を配設してあり、冷風流路２にイオン発生部９を配置してある。ハウジング１の外の側面にはモータ７やヒータ８の電源スイッチ１２を配置してある。
【００３４】
このブラシ付きヘアードライヤーを使用するには、電源スイッチ１２を入れ、モータ７を駆動してファン６を回転させることで空気取り入れ口５よりハウジング１外の空気をハウジング１内へ取り入れて空気流路の下流側へと送り、送られてきた空気を温風が流れる温風流路３へと導く。温風が流れる温風流路３では、送られてきた空気を通電されたヒータ８で加熱して、空気吹き出し口４より温風を吹き出す。またモータ７′を駆動してファン６′を回転させることにより、冷風流路２の空気取り入れ口５′より外気を吸い込む。これにより冷風が流れる冷風流路２では送られてきた空気が流路を通り、室温の空気を冷風として空気吹き出し口４より吹き出す。これにより、図１の例と同様に温風と冷風が吐出されて髪のセットがされると共にマイナスイオンが当てられて髪の手入れがされる。
【００３５】
次に図８に示す例をついて述べる。本例も図１に示す例と基本的に同じであり、異なる点だけを主に述べる。本例の場合、温風流路３の下流側の端部で冷風流路３に偏った位置にイオン発生部９を設けてある。このように温風流路３にイオン発生部９を設けると、ヒータ８のヒータ基板を用いて容易にイオン発生部９を取り付けることができる。温風流路３にイオン発生部９を設けると、温風と混合したマイナスイオンが出るおそれがあるが、温風と混合したマイナスイオンは冷風流路２から吐出する冷風によって冷やされ、温度の低いマイナスイオンを発生させることができる。この例のものも図１の例と同様に使用することができ、図１の例と同様に温風と冷風が吐出されて髪のセットがされると共にマイナスイオンが当てられて髪の手入れがされる。
【００３６】
次に図９に示す例について述べる。本例も図４に示す例と基本的に同じであり、異なる点だけを主に述べる。本例の場合、外側に位置する温風流路３の下流側の端部にイオン発生部９を設けてある。このように温風流路３にイオン発生部９を設けると、ヒータ８のヒータ基板を用いて容易にイオン発生部９を取り付けることができる。温風流路３にイオン発生部９を設けると、温風と混合したマイナスイオンが出るおそれがあるが、温風と混合したマイナスイオンは冷風流路２から吐出する冷風によって冷やされ、温度の低いマイナスイオンを発生させることができる。
【００３７】
次に図１０に示す例について述べる。本例も図１に示す例と基本的に同じであり、異なる点だけを主に述べる。上記例では冷風流路２にイオン発生部９を配置したが、本例の場合、ハウジング１の外のイオン流路１６にイオン発生部９を配置してあり、空気吹き出し口４から吹き出す温風や冷風の吹き出し方向と同じ方向を向いたイオン吹き出し口１５よりマイナスイオンを毛髪に向けて吹き出すことができるようになっている。温風流路３や冷風流路２の外にイオン発生部９を設けた場合、発生したマイナスイオンの大半は温風によって加熱されることなく、常温のまま発生させることができる。この例のものも図１の例と同様に使用することができ、図１の例と同様に温風と冷風が吐出されて髪のセットがされると共にマイナスイオンが当てられて髪の手入れがされる。
【００３８】
次に図１１に示す例について述べる。本例もハウジング１の外のイオン流路１６にイオン発生部９を配置してあり、空気吹き出し口４から吹き出す温風や冷風の吹き出し方向と同じ方向を向いたイオン吹き出し口１５よりマイナスイオンを毛髪に向けて吹き出すことができるようになっているが、本例の場合、イオン流路１６の上流側を冷風流路２に連通させてある。これによりイオン流路１６やイオン吹き出し口１５に冷風流路２の風を流すことができ、その流れに乗ってより多くのマイナスイオンを放出することができる。
【００３９】
次に図１２に示す例について述べる。本例も図１に示す例と基本的に同じであり、異なる点だけを主に述べる。温水流路３と冷風流路２の両方にイオン発生部９を設けてある。イオン発生部９で発生したマイナスイオンは空気流路を通り、イオン吹き出し口１５より出てくるが、冷風流路２内にイオン発生部９を設けた場合、冷風と混合したマイナスイオンは、温風流路３から吐出する温風によって、一部は加熱されるが残りの大半については冷風のまま発生させることができる。また温風流路３内にイオン発生部９を設けた場合、温風と混合したマイナスイオンは冷風流路２から吐出する冷風によって冷やされ、温度の低いマイナスイオンを発生することができる。これらの両方のイオン発生部９があることにより、より多くの冷たいマイナスイオンを発生させることができ、さらにマイナスイオンの効果を向上できる。
【００４０】
次に図１３、図１４に示す例について述べる。本例も図１に示す例と基本的に同じであり、異なる点だけを主に述べる。本例の場合、イオン発生部９を複数個設けてある。図１３の例では冷風流路２に複数個のイオン発生部９を設けてあり、図１４の例ではハウジング１の外に複数のイオン流路１６を設けると共に各イオン流路２にイオン発生部９を設けてある。イオン発生部９を複数個設けることにより、１つのイオン発生部９しか設けないものに比べてより多くのマイナスイオンを発生させることができ、さらに効果が向上する。
【００４１】
次に図１５に示す例について述べる。本例も図１に示す例と基本的に同じであり、異なる点だけを主に述べる。空気流路は二重筒状に形成されており、内側の空気流路は温風が流れる温風流路３、外側の空気流路は冷風が流れる冷風流路２となっている。温風流路３と冷風流路２の上流にはファン６及びファン６を駆動するモータ７を配置してある。モータ７には商用電源から電気を供給するようになっているが、モータ７は直流モータを使用し、商用電源より分圧抵抗１９を用いて降圧して電気を供給するようになっている。温風流路３にはヒータ８を配設してあり、冷風流路３には一例としてモータ７の分圧抵抗１９を配設ある。この冷風流路２には、上記分圧抵抗１９以外に、ヒータ８の一部、または別の負荷（抵抗値：ヒータ＜＜負荷）を配置することも可能である。
【００４２】
ヘアードライヤーを使用するには、ハンドル部１１に設けてある電源スイッチ１２を入れ、モータ７を駆動してファン６を回転させることで空気取り入れ口５より、ハウジング１外の空気をハウジング１内に取り入れて空気流路の下流側へと送り、送られてきた空気を二重筒状の空気流路へと導く。二重筒状の空気流路のうち温風が流れる温風流路３では、送られてきた空気を通電されたヒータ８で加熱して、空気吹き出し口４より温風を吹き出す。二重筒状の空気流路のうち、冷風が流れる冷風流路２では、送られてきた空気を通電された分圧抵抗１９もしくは負荷で加熱して空気吹き出し口５より冷風として吹き出す。ただし、抵抗値が＜＜負荷（分圧抵抗など）のため、発熱量もヒータ＜＜負荷となるため、ヒータ８側が温風、負荷（分圧抵抗など）側が冷風となる。
【００４３】
ところで、日本のヘアードライヤーは１２００Ｗが主流であるが、その発熱を温風流路３のみで発生させた場合、温風流路３と冷風流路２とで流量を分割した仕様では温風流路３に流れる風量が減るため、温風流路３の温度が上がり、ヒータ線の赤熱、使用時のやけど等の問題が起こる。それに対し、上記のように冷風流路２内に分圧抵抗または負荷を入れることにより、１２００Ｗ中、１００Ｗでも消費すれば、温風流路３は１１００Ｗでよく、風量が減っても、ヒータ線の赤熱、使用時のやけど等の問題が減り、設計が容易になる。またこれらにより、小型化が可能となる。
【００４４】
【発明の効果】
本発明の請求項１の発明は、温風を送風して毛髪に温風を吐出する温風流路と、冷風を送風して毛髪に冷風を吐出する冷風流路とを有すると共に温風と冷風とを同時に送風するモードを有し、前記流路を通って吐出される送風と同じ方向にマイナスイオンを放出するイオン発生部を備えたものあるため、温風と冷風とを同時に送風して髪に当てることにより毛髪に効果的にセットできると共にこのようにセットした毛髪にマイナスイオンを当てることにより髪の艶、しっとり感、さらさら感があるように整髪できるという効果がある。つまり、温風は髪を乾燥させるだけでなく、熱によって髪のＳ−Ｓ結合を切ることができるため、くせ毛を伸ばすことができる。そこに冷風を当てると、再びＳ−Ｓ結合が行われるため、結果的にくせ毛を伸ばし固定することができる。このセット性が向上した毛髪にマイナスイオンを与えると、髪の艶を出したり、しっとり、さらさらする効果が実感できるようになる。
【００４５】
本発明の請求項２の発明は、温風を送風して毛髪に温風を吐出する温風流路と、冷風を送風して毛髪に冷風を吐出する冷風流路とを有し、前記流路を通って吐出される送風と同じ方向にマイナスイオンを放出するイオン発生部を備え、少なくとも冷風の送風とイオン発生部からのマイナスイオンの放出が同時に行われるように構成したので、水分子を含むマイナスイオンが毛髪の内部まで浸透しやすくてさらに毛髪がしっとりさらさらになるとう効果があるがものである。つまり、冷風のマイナスイオンの場合、イオン分子の温度が低く、イオン分子に含まれている水分子も温度が低く、低いエネルギーしか持っていないため、毛髪に付着したのち、再び空気中に蒸発するためには多くのエネルギーを必要とすることから、冷風のマイナスイオンを毛髪に当てた場合、蒸発することなく髪に残った状態になり、結果としてしっとりになる効果が増大するのである。
【００４６】
本発明の請求項３の発明は、請求項１また請求項２において、温風流路と冷風流路のうち一方の流路の周辺に他方の流路が配置され、層状をなした温風の流れと冷風の流れが接するように送風されるようにしたので、温風と冷風とが夫々層状（かたまり）となって毛髪に当り、温風と冷風の効果（温風であれば乾燥効果、冷風であればセット効果）が夫々でやすいものである。
【００４７】
本発明の請求項４の発明は、請求項１乃至請求項３のいずれかにおいて、温風流路や冷風流路の流路内の送風に向けてイオン発生部からマイナスイオンを放出するようにしたので、イオン発生部で発生したマイナスイオンを送風に混ざるようにして送風にてマイナスイオンの搬送ができるものである。
【００４８】
本発明の請求項５の発明は、請求項３または請求項４において、一方の流路に対して周辺に配置する他方の流路を冷風流路としたので、使用者はヘアードライヤーを動かして髪全体を乾かして行くとき、毛髪に当る送風が操作的に温→冷となり、セット性が向上できるものである。
【００４９】
本発明の請求項６の発明は、請求項５において、イオン発生部から冷風流路の冷風にマイナスイオンを放出するようにしたので、冷風のマイナスイオンを毛髪に効果的に当てて髪のトリートメントを効果的にできるものである。
【００５０】
本発明の請求項７の発明は、請求項５または請求項６において、冷風流路内にイオン発生部を配置してイオン発生部から冷風にマイナスイオンを放出するようにしたので、冷風のマイナスイオンを簡単な構造で送風することができるものである。
【００５１】
本発明の請求項８の発明は、請求項５において、一方の流路に対して周辺に配置する他方の流路を冷風流路とし、前記流路外に配置したイオン発生部から冷風にマイナスイオンを放出するようにしたので、流路での送風の圧力損失を少なくしながら冷風のマイナスイオンを送風することができ、大風量のヘアードライヤー、静音のヘアードライヤーなどを容易に得ることができるものである。
【００５２】
本発明の請求項９の発明は、請求項５または請求項８において、送風する流路外にイオン発生部を設置し、送風する流路から分岐した経路をイオン発生部に接続したので、送風する流路外にイオン発生部を設けてあっても、送風する流路からイオン発生部に送風し、その風に乗ってマイナスイオンを効果的に放出することができるものである。
【００５３】
本発明の請求項１０の発明は、請求項５において、温風流路内にイオン発生部を配置してイオン発生部から温風にマイナスイオンを放出するようにしたので、温風流路に設けたヒータのヒータ基板にイオン発生部を取り付けることが可能となるため、製造上、イオン発生部を容易に設けることができるものである。
【００５４】
本発明の請求項１１の発明は、請求項１乃至請求項１０のいずれかにおいて、イオン発生部を複数個設けたので、複数個のイオン発生部によってより多くのマイナスイオンを発生させることができ、これにより、毛髪がしっとり、さらさらする効果をさらに増大させることができるものである。
【図面の簡単な説明】
【図１】（ａ）は本発明のヘアードライヤーの実施の形態の一例の正面から見た断面図、（ｂ）は（ａ）の要部の側面から見た断面図である。
【図２】（ａ）は同上のイオン発生部の正面から見た断面図、（ｂ）は側面から見た断面図である。
【図３】同上の動作を説明する説明図である。
【図４】（ａ）は同上ヘアードライヤーの他の例の正面から見た断面図、（ｂ）は（ａ）の要部の側面から見た断面図である。
【図５】同上のヘアードライヤーの他の例の正面から見た断面図である。
【図６】同上のヘアードライヤーの他の例の正面から見た断面図である。
【図７】同上のヘアードライヤーの他の例の正面から見た断面図である。
【図８】（ａ）は同上ヘアードライヤーの他の例の正面から見た断面図、（ｂ）は（ａ）の要部の側面から見た断面図である。
【図９】（ａ）は同上ヘアードライヤーの他の例の正面から見た断面図、（ｂ）は（ａ）の要部の側面から見た断面図である。
【図１０】同上のヘアードライヤーの他の例の正面から見た断面図である。
【図１１】同上のヘアードライヤーの他の例の正面から見た断面図である。
【図１２】（ａ）は同上ヘアードライヤーの他の例の正面から見た断面図、（ｂ）は（ａ）の要部の側面から見た断面図である。
【図１３】（ａ）は同上ヘアードライヤーの他の例の正面から見た断面図、（ｂ）は（ａ）の要部の側面から見た断面図である。
【図１４】同上ヘアードライヤーの他の例の正面から見た断面図である。
【図１５】同上のヘアードライヤーの他の例の正面から見た断面図である。
【図１６】従来例のヘアードライヤーの断面図である。
【符号の説明】
１  ハウジング
２  冷風流路
３  温風流路
４  空気吹き出し口
５  空気取り入れ口
６  ファン
７  モータ
８  ヒータ
９  イオン発生部
【図１】
2004208935.tif 000003
【図２】
2004208935.tif 000004
【図３】
2004208935.tif 000005
【図４】
2004208935.tif 000006
【図５】
2004208935.tif 000007
【図６】
2004208935.tif 000008
【図７】
2004208935.tif 000009
【図８】
2004208935.tif 000010
【図９】
2004208935.tif 000011
【図１０】
2004208935.tif 000012
【図１１】
2004208935.tif 000013
【図１２】
2004208935.tif 000014
【図１３】
2004208935.tif 000015
【図１４】
2004208935.tif 000016
【図１５】
2004208935.tif 000017
【図１６】
2004208935.tif 000018